(57)【要約】【課題】  ケ−ブルモデム用のデータチューナとケ−ブルテレビ受信用のビデオチューナの性能を損なうことなく、これら両チューナを同じ筐体に組み込んでスペースファクタを向上させたデュアルチューナを提供すること。【解決手段】  デュアルチューナ１は、四方に側板２ａ〜２ｄを有する直方体形状の筐体２と、筐体２の内部を複数の領域に区画する仕切り板３〜５と、筐体２の一つの側板２ａに取り付けられた同軸コネクタ６と、データチューナ８およびビデオチューナ９が配設されて筐体２の内部に設置された回路基板７とを備えており、両チューナ８，９が仕切り板３によって隔てられていると共に、厳しいスプリアス妨害規格が課せられているデータチューナ８の信号ライン１０が、スプリアス妨害規格がさほど厳しくないビデオチューナ９の信号ライン１１に比べて極めて短く設定されている。【選択図】  図１
2005322976.tif 000002
【特許請求の範囲】
【請求項１】
四方に側板を有する直方体形状の筐体と、該筐体の内部を複数の領域に区画する仕切り板と、前記筐体の一つの側板に取り付けられた同軸コネクタと、第１のチューナおよび第２のチューナを有して前記筐体の内部に設置された回路基板とを備え、
前記第１のチューナがアップストリーム回路を有するケ−ブルモデム用のデータチューナであり、かつ前記第２のチューナがアップストリーム回路を有さないケ−ブルテレビ受信用のビデオチューナであって、これら第１および第２のチューナが前記仕切り板によって隔てられていると共に、前記第１のチューナの入力端から前記同軸コネクタまでの配線距離を前記第２のチューナの入力端から前記同軸コネクタまでの配線距離よりも短く設定したことを特徴とするデュアルチューナ。
【請求項２】
請求項１の記載において、前記第１のチューナが局部発振回路と混合回路をそれぞれ２段備えたダブルコンバージョン構造であり、該局部発振回路の発振周波数を受信帯域外に設定したことを特徴とするデュアルチューナ。
【請求項３】
請求項１または２の記載において、前記第１のチューナの入力端および前記第２のチューナの入力端を前記筐体の同一の側板と対向する向きに配置させたことを特徴とするデュアルチューナ。
【発明の詳細な説明】
【技術分野】
【０００１】
本発明は、共通の筐体内にケ−ブルモデム機能を有するチューナとケ−ブルテレビ受信機能を有するチューナとが配設されたデュアルチューナに関する。
【背景技術】
【０００２】
ケ−ブルモデム用のデータチューナとケ−ブルテレビ受信用のビデオチューナは、いずれもＣＡＴＶシステムのケ−ブル回線に接続して使用される。これらデータチューナとビデオチューナの基本的な構成は似ているが、送受信が可能なデータチューナにはアップストリーム回路が付設されている（例えば、特許文献１参照）。また、かかるデータチューナにあっては、スプリアス信号（目的信号以外の信号）による妨害の影響を減らすべく厳しいスプリアス妨害規格が設けられている。
【０００３】
従来、ケ−ブルモデム用のデータチューナとケ−ブルテレビ受信用のビデオチューナは、それぞれ別々の筐体に組み込まれたうえで、セットトップボックスに収納されていた。
【特許文献１】特開平１０−２１５１４８号公報（第３−７頁、図８）
【発明の開示】
【発明が解決しようとする課題】
【０００４】
上述したように従来は、ケ−ブルモデム用のデータチューナとケ−ブルテレビ受信用のビデオチューナがそれぞれ別々の筐体に組み込まれていたので、これら両チューナを収納するセットトップボックスの小型化が図りにくいという問題があった。そこで、スペースファクタを向上させるために、データチューナとビデオチューナを同じ筐体に組み込んで一体化したデュアルチューナを作製することが考えられるが、その場合、両チューナの相互干渉によって性能が低下したり、データチューナに課せられている厳しいスプリアス妨害規格が満足できなくなる虞があるため、特別な配慮が必要となる。
【０００５】
本発明は、このような従来技術の実情に鑑みてなされたもので、その目的は、ケ−ブルモデム用のデータチューナとケ−ブルテレビ受信用のビデオチューナの性能を損なうことなく、これら両チューナを同じ筐体に組み込んでスペースファクタを向上させたデュアルチューナを提供することにある。
【課題を解決するための手段】
【０００６】
上述した目的を達成するため、本発明のデュアルチューナでは、四方に側板を有する直方体形状の筐体と、該筐体の内部を複数の領域に区画する仕切り板と、前記筐体の一つの側板に取り付けられた同軸コネクタと、第１のチューナおよび第２のチューナを有して前記筐体の内部に設置された回路基板とを備え、前記第１のチューナがアップストリーム回路を有するケ−ブルモデム用のデータチューナであり、かつ前記第２のチューナがアップストリーム回路を有さないケ−ブルテレビ受信用のビデオチューナであって、これら第１および第２のチューナが前記仕切り板によって隔てられていると共に、前記第１のチューナの入力端から前記同軸コネクタまでの配線距離を前記第２のチューナの入力端から前記同軸コネクタまでの配線距離よりも短く設定した。
【０００７】
このように構成されたデュアルチューナは、厳しいスプリアス妨害規格が課せられているデータチューナ（第１のチューナ）の信号ラインを短くすることによって、スプリアス信号の妨害の影響を極力抑えることができるため、データチューナを常に良好に動作させることができる。一方、ビデオチューナ（第２のチューナ）の信号ラインは相対的に長いため、データチューナの局部発振回路で生成される信号の影響が若干懸念されるが、ビデオチューナのスプリアス妨害規格はさほど厳しいものではなく、データチューナに起因するスプリアス信号の妨害でビデオチューナが動作不良を起こす可能性は低い。したがって、データチューナとビデオチューナの性能を損なわずに、これら両チューナを同じ筐体に組み込んでスペースファクタを向上させることができる。
【０００８】
かかる構成のデュアルチューナにおいて、前記第１のチューナが局部発振回路と混合回路をそれぞれ２段備えたダブルコンバージョン構造であり、該局部発振回路の発振周波数を受信帯域外に設定しておけば、データチューナの性能向上が図れるのみならず、前記ビデオチューナの性能向上も図れるため好ましい。
【０００９】
また、かかる構成のデュアルチューナにおいて、前記データチューナの入力端および前記ビデオチューナの入力端を前記筐体の同一の側板と対向する向きに配置させておけば、ビデオチューナの信号ラインが短縮されてスプリアス信号の妨害の影響が低減できるため好ましい。
【発明の効果】
【００１０】
本発明のデュアルチューナは、ケ−ブルモデム用のデータチューナの信号ラインを短くすることによって、スプリアス信号の妨害の影響を極力抑えることができるため、データチューナを常に良好に動作させることができる。また、ケ−ブルテレビ受信用のビデオチューナについては、信号ラインが長めでもスプリアス信号の妨害の影響は少ない。特に、データチューナが局部発振回路と混合回路をそれぞれ２段備えたダブルコンバージョン構造の場合には、データチューナに起因するスプリアス信号がビデオチューナの動作に悪影響を及ぼす可能性はほとんどなくなる。それゆえ、データチューナとビデオチューナの性能を損なうことなく、これら両チューナを同じ筐体に組み込んでスペースファクタを向上させたデュアルチューナを提供することができる。
【発明を実施するための最良の形態】
【００１１】
実施の形態を図面を参照して説明すると、図１は本発明の第１実施形態例に係るデュアルチューナの回路レイアウトを模式的に示す説明図である。同図に示すデュアルチューナ１は、図示せぬセットトップボックスに収納されてＣＡＴＶシステムのケ−ブル回線に接続され、ケ−ブルモデム機能およびケ−ブルテレビ受信機能を有するチューナとして動作するというものである。
【００１２】
このデュアルチューナ１は、四方に側板２ａ，２ｂ，２ｃ，２ｄを有する直方体形状の筐体２と、筐体２の内部空間を複数の領域に区画する仕切り板３，４，５と、筐体２の一つの側板２ａに取り付けられた同軸コネクタ６と、筐体２の内部に設置された回路基板７とを備えて主に構成されており、回路基板７にケ−ブルモデム用のデータチューナ８とケ−ブルテレビ受信用のビデオチューナ９とが配設されている。
【００１３】
筐体２は金属板からなり、有底箱形にフォーミングされて側板２ａ〜２ｄが形成されたシャーシ部と、このシャーシ部の内部空間を覆う図示せぬ蓋板とによって構成されている。複数の仕切り板３〜５も金属板からなり、シールド効果の必要性や配線パターンの制約等に応じて各仕切り板３〜５の大きさや形状が決められている。同軸コネクタ６はかしめ等によって側板２ａに強固に取り付けられており、この同軸コネクタ６に図示せぬ同軸ケ−ブルが接続される。回路基板７には配線パターン上に各種電子部品が実装されており、略中央の仕切り板３の図示右側にデータチューナ８を構成する回路が設けられ、図示左側にビデオチューナ９を構成する回路が設けられている。つまり、両チューナ８，９が仕切り板３によって隔てられていると共に、データチューナ８の入力端８ａから同軸コネクタ６までの配線距離が、ビデオチューナ９の入力端９ａから同軸コネクタ６までの配線距離に比べて著しく短く設定されている。
【００１４】
ケ−ブルモデム用のデータチューナ８は、複数の仕切り板４によって区画された個々の領域に、所望の信号を通過させるバンドパスフィルタ部８ｂや、該フィルタ部８ｂを通過した受信信号を中間周波信号に変換する周波数変換回路部８ｃや、送信用のアップストリーム回路部８ｄや、図示せぬ増幅部等を配設した回路構成になっており、周波数変換回路部８ｃには局部発振回路と混合回路とが設けられている。このデータチューナ８の入力端８ａは信号ライン１０によって同軸コネクタ６と接続されている。
【００１５】
一方、ケ−ブルテレビ受信用のビデオチューナ９は、複数の仕切り板５によって区画された個々の領域に、所望の信号を通過させるバンドパスフィルタ部９ｂや、該フィルタ部９ｂを通過した受信信号を中間周波信号に変換する周波数変換回路部９ｃや、図示せぬ増幅部等を配設した回路構成になっており、周波数変換回路部９ｃには局部発振回路と混合回路とが設けられている。ただし、ビデオチューナ９は受信専用なのでアップストリーム回路は設けられていない。このビデオチューナ９の入力端９ａは、データチューナ８を迂回して延設された信号ライン１１によって同軸コネクタ６と接続されている。
【００１６】
このように本実施形態例に係るデュアルチューナ１では、厳しいスプリアス妨害規格が課せられているデータチューナ８の信号ライン１０が極めて短いため、スプリアス信号の妨害の影響を極力抑えることができ、それゆえデータチューナ８を常に良好に動作させることができる。また、ビデオチューナ９については、信号ライン１１がデータチューナ８を迂回して延びているため、データチューナ８の局部発振回路で生成される信号の影響が若干懸念されるが、ビデオチューナ９のスプリアス妨害規格はさほど厳しいものではなく、データチューナ８に起因するスプリアス信号の妨害でビデオチューナ９が動作不良を起こす可能性は低い。すなわち、本実施形態例では、データチューナ８とビデオチューナ９の性能が損なわれないように配慮した回路レイアウトを採用しているため、各チューナ８，９を共通の筐体２に組み込んでスペースファクタを大幅に向上させた高信頼性のデュアルチューナ１が実現されている。
【００１７】
図２は本発明の第２実施形態例に係るデュアルチューナの回路レイアウトを模式的に示す説明図であり、図１に対応する部分には同一符号を付してあり、重複する説明は省略する。
【００１８】
図２に示すデュアルチューナ２１は、ケ−ブルモデム用のデータチューナ８が、バンドパスフィルタ部８ｂを通過した受信信号を第１の中間周波信号に変換する第１の周波数変換回路部８ｅと、第１の中間周波信号を第２の中間周波信号に変換する第２の周波数変換回路部８ｆとを有する回路構成になっており、これら第１および第２の周波数変換回路部８ｅ，８ｆに設けられた局部発振回路の発振周波数が受信帯域外に設定されている点が、前述した第１実施形態例のデュアルチューナ１と大きく異なっている。すなわち、本実施形態例に係るデュアルチューナ２１のデータチューナ８は、局部発振回路と混合回路をそれぞれ２段備えたダブルコンバージョン構造になっており、第１の周波数変換回路部８ｅに設けられた局部発振回路（可変周波発振回路）が同調周波数よりも例えば１ＧＨｚ以上高い発振周波数に可変設定されるため、該変換回路部８ｅによって受信信号は１ＧＨｚ以上高周波な第１の中間周波信号に変換される。また、第２の周波数変換回路部８ｆに設けられた局部発振回路（固定周波発振回路）が通常の中間周波信号よりも例えば１ＧＨｚ以上高い発振周波数に設定されているため、該変換回路部８ｆによって第１の中間周波信号は通常の中間周波信号（第２の中間周波信号）に変換される。したがって、第１および第２の周波数変換回路部８ｅ，８ｆに設けられた局部発振回路の発振周波数は、いずれも受信帯域から大きく外れることになる。その結果、このデュアルチューナ２１は、データチューナ８自身の性能向上が図れるのみならず、データチューナ８に起因するスプリアス信号がビデオチューナ９の動作に悪影響を及ぼす可能性がほとんどなくなるため、ビデオチューナ９の性能も向上する。
【００１９】
図３は本発明の第３実施形態例に係るデュアルチューナの回路レイアウトを模式的に示す説明図であり、図１に対応する部分には同一符号を付してあり、重複する説明は省略する。
【００２０】
図３に示すデュアルチューナ３１は、ケ−ブルモデム用のデータチューナ８の入力端８ａと、ケ−ブルテレビ受信用のビデオチューナ９の入力端９ａを、いずれも、筐体２の側板２ｂと対向する向きに配置させることによって、ビデオチューナ９の信号ライン１１の短縮化を図った点が、前述した第１実施形態例のデュアルチューナ１と大きく異なっている。すなわち、このように両チューナ８，９の入力端８ａ，９ａを同一の側板２ｂに対向させる回路レイアウトを採用することによって、ビデオチューナ９の信号ライン１１はデータチューナ８を迂回しない短い経路で引き廻せるため、データチューナ８に起因するスプリアス信号の妨害でビデオチューナ９が動作不良を起こす可能性は低くなる。それゆえ、このデュアルチューナ３１は、前記デュアルチューナ１に比べてビデオチューナ９の性能向上が期待できる。
【００２１】
図４は本発明の第４実施形態例に係るデュアルチューナの回路レイアウトを模式的に示す説明図であり、図１および図３と対応する部分には同一符号を付してあり、重複する説明は省略する。
【００２２】
図４に示すデュアルチューナ４１は、前述した第３実施形態例で説明したデュアルチューナ３１の変形例であって、両チューナ８，９の入力端８ａ，９ａを側板２ｂではなく側板２ａに対向させている点が該デュアルチューナ３１と大きく異なっている。すなわち、第１乃至第３実施形態例ではすべて筐体２が側板２ｂ，２ｄを長辺とする横長の直方体形状であったが、図４に示すデュアルチューナ４１では筐体２が側板２ａ，２ｃを長辺とする縦長の直方体形状になっており、こうすることによってデュアルチューナ４１では、データチューナ８の入力端８ａとビデオチューナ９の入力端９ａをいずれも、同軸コネクタ６が取り付けられる側板２ａと対向する向きに配置させることが可能となっている。このような回路レイアウトを採用したデュアルチューナ４１は、前記デュアルチューナ３１と同様に、ビデオチューナ９の信号ライン１１をデータチューナ８を迂回しない短い経路で引き廻すことができるため、データチューナ８に起因するスプリアス信号の妨害でビデオチューナ９が動作不良を起こす可能性が低くなり、ビデオチューナ９の性能向上が期待できる。
【図面の簡単な説明】
【００２３】
【図１】本発明の第１実施形態例に係るデュアルチューナの回路レイアウトを模式的に示す説明図である。
【図２】本発明の第２実施形態例に係るデュアルチューナの回路レイアウトを模式的に示す説明図である。
【図３】本発明の第３実施形態例に係るデュアルチューナの回路レイアウトを模式的に示す説明図である。
【図４】本発明の第４実施形態例に係るデュアルチューナの回路レイアウトを模式的に示す説明図である。
【符号の説明】
【００２４】
１，２１，３１，４１  デュアルチューナ
２  筐体
２ａ，２ｂ，２ｃ，２ｄ  側板
３，４，５  仕切り板
６  同軸コネクタ
７  回路基板
８  データチューナ（第１のチューナ）
９  ビデオチューナ（第２のチューナ）
１０，１１  信号ライン
８ａ，９ａ  入力端
８ｂ，９ｂ  バンドパスフィルタ部
８ｃ，８ｅ，８ｆ，９ｃ  周波数変換回路部
８ｄ  アップストリーム回路部
【図１】
2005322976.tif 000003
【図２】
2005322976.tif 000004
【図３】
2005322976.tif 000005
【図４】
2005322976.tif 000006